(57)【要約】【課題】圃場表面の全てを均平に整地可能な耕耘作業機を提供する。【解決手段】耕耘作業機の一例である代掻機１は、走行機体９０の後部に装着され、左右方向の中央部に配置された作業機本体１０と、この左右両端部に回動可能に取り付けられた延長作業体３０とを備える。延長作業体３０の左右方向端部には補助整地板４０が回動可能に取り付けられる。作業機本体１０と延長作業体３０の後部には第２整地板１６と第２延長整地板３３が回動自在に取り付けられる。第２整地板１６、第２延長整地板３３、補助整地板４０の後部には、下部に切り欠き部を有して上方へ突出する中空の凸部６０，６０'，６０''が左右方向に所定間隔を有して複数設けられる。第２延長整地板３３及び補助整地板４０に設けられた切り欠き部及び凸部６０'，６０''は、平面視において第２整地板１６の中央部側に傾いて前後方向に延び、圃場の泥水を第２整地板１６の中央部側に流す。【選択図】図１
2007222130.tif 000002
【特許請求の範囲】
【請求項１】
走行機体の後部に装着され、該走行機体から伝達される動力によって回転する耕耘ロータと該耕耘ロータの進行方向後側に回動可能に支持された第１整地板と該第１整地板の後端部に回動可能に支持された第２整地板とを備え、前記耕耘ロータが回転しながら前記走行機体の走行とともに進行して耕耘作業をするとともに、前記第１整地板及び前記第２整地板によって圃場表面を整地する耕耘作業機において、
前記第２整地板の後端部に平面視において前記第２整地板の中央部側に傾いて前後方向に延びる切り欠き部を設けたことを特徴とする耕耘作業機。
【請求項２】
走行機体の後部に装着され、該走行機体から伝達される動力によって回転する耕耘ロータと該耕耘ロータの進行方向後側に回動可能に支持された第１整地板と該第１整地板の後端部に回動可能に支持された第２整地板とを備え、前記耕耘ロータが回転しながら前記走行機体の走行とともに進行して耕耘作業をするとともに、前記第１整地板及び前記第２整地板によって圃場表面を整地する耕耘作業機において、
前記第２整地板の後端部に前後方向に延びる切り欠き部を設け、
前記切り欠き部は、第１側辺部と、これよりも前記第２整地板の中央部側に位置するとともに前記第１側辺部よりも前記第２整地板の中央部側に大きく傾く第２側辺部を有して、前後方向に対して左右非対称構造であることを特徴とする耕耘作業機。
【請求項３】
走行機体の後部に装着され、該走行機体から伝達される動力によって回転する耕耘ロータと該耕耘ロータの進行方向後側に回動可能に支持された第１整地板と該第１整地板の後端部に回動可能に支持された第２整地板とを備え、前記耕耘ロータが回転しながら前記走行機体の走行とともに進行して耕耘作業をするとともに、前記第１整地板及び前記第２整地板によって圃場表面を整地する耕耘作業機において、
前記第２整地板の後端部に上方へ突出して中空の凸部を設け、
前記凸部は、前後方向に延びる第１側板部と、これよりも前記第２整地板の中央部側に位置して前後方向に延びる第２側板部と、前記第１側板部及び前記第２側板部の上端部間を接続する天板部とを有し、該天板部は第２側板部側が第１側板部側より高くなるように傾いていることを特徴とする耕耘作業機。
【請求項４】
前記天板部に、前記凸部内に流入した前記圃場の泥水の一部を排出する排出口を設けることを特徴とする請求項３に記載の耕耘作業機。
【発明の詳細な説明】
【技術分野】
【０００１】
本発明は、耕耘ロータが回転しながら進行して耕耘作業を行う耕耘作業機に関し、特に、圃場の表面に接して圃場を整地する整地板を備えた耕耘作業機に関する。
【背景技術】
【０００２】
このような整地板を備えた耕耘作業機には、特許文献１に記載された代掻機が一般的に知られている。この代掻機７０は、図５（背面図）に示すように、耕耘ロータ（文献では砕土体）の上部を覆うカバー７１の後端部に上下方向に回動可能に取り付けられた整地板７２と、整地板７２の左右両端部に上下方向に回動可能に取り付けられて整地作業を行う延長板７３と、整地板７２及び延長板７３の下部に設けられて弾性材料で形成されて整地作業を行う鎮圧板７４とを有して構成されている。
【０００３】
整地板７２はカバー７１の後端部から斜め後方へ延びて後端部が圃場表面に接し、鎮圧板７４は弾性変形して圃場表面を下方に付勢しながら圃場表面に沿って延び、整地板７２の後端部及び鎮圧板７４の底面によって圃場表面が均平に整地される。鎮圧板７４の後端部には、鎮圧板７４の幅方向に所定間隔を有して配置された複数の切り欠き部７５が設けられて、圃場の泥水が鎮圧板７４の後方に流出し易いようにしている。
【発明の開示】
【発明が解決しようとする課題】
【０００４】
この鎮圧板に設けられた切り欠き部は、その向きが全て代掻機の進行方向に沿った前後方向に延びている。このため、代掻機が前進しながら代掻き作業を行うと、圃場の泥水は代掻機の後方に略真っ直ぐに抜ける。このため、鎮圧板の幅方向両端部においても、泥水は代掻機の後方側に真っ直ぐに流れ、この泥水が鎮圧板の中央部側へ流れることはない。
【０００５】
従って、鎮圧板の幅方向端部が既に代掻きが行われた処理済みの圃場の端部と重ね合うように、代掻機によって隣接する未処理の圃場を代掻きすると、圃場条件によっては泥水が鎮圧板の幅方向端部から側方に押し出され、これに伴って未処理の圃場に存在する藁等が処理済みの圃場の重ね合わせ部分に押し流されて、きれいに整地された重ね合わせ部分がきたなくなり、圃場表面の全てを均平に整地することができないという問題が発生する。
【０００６】
【特許文献１】実開昭５９−５５４１１号公報（図１）
【０００７】
本発明は、このような問題に鑑みてなされたものであり、圃場表面の全てを均平に整地することができる耕耘作業機を提供することを目的とする。
【課題を解決するための手段】
【０００８】
上記目的を達成するために本発明の耕耘作業機（例えば、実施形態における代掻機１，１'）は、走行機体の後部に装着され、該走行機体から伝達される動力によって回転する耕耘ロータと該耕耘ロータの進行方向後側に回動可能に支持された第１整地板（例えば、実施形態における第１整地板１５，第１延長整地板３２）と該第１整地板の後端部に回動可能に支持された第２整地板（例えば、実施形態における第２整地板１６、第２延長整地板３３）とを備え、耕耘ロータが回転しながら走行機体の走行とともに進行して耕耘作業をするとともに、第１整地板及び第２整地板によって圃場表面を整地する耕耘作業機において、第２整地板の後端部に平面視において第２整地板の中央部側に傾いて前後方向に延びる切り欠き部を設けたことを特徴とする。
【０００９】
この発明によれば、第２整地板の後端部に設けられた切り欠き部は、平面視において第２整地板の中央部側に傾いて前後方向に延びることにより、切り欠き部から流れ出る圃場の泥水を第２整地板の中央部側に流すことができる。このため、切り欠き部を第２整地板の幅方向端部に設けると、この端部から後方側へ抜ける泥水を第２整地板の中央部側に流すことができる。その結果、第２整地板の幅方向端部が既に耕耘作業が行われた処理済みの圃場の端部と重ね合うようにして、代掻機によって隣接する未処理の圃場を耕耘すると、泥水は第２整地板の幅方向端部から内側斜め後方に流出し、処理直後の圃場に存在する藁等は第２整地板の幅方向内側に押し戻される。このため、処理済みの圃場の重ね合わせ部分に藁等が入り込むことがなく、きれいに整地された重ね合わせ部分の状態を維持することができ、圃場表面の全てを均平に整地することができる。
【００１０】
また本発明は、走行機体の後部に装着され、該走行機体から伝達される動力によって回転する耕耘ロータと該耕耘ロータの進行方向後側に回動可能に支持された第１整地板と該第１整地板の後端部に回動可能に支持された第２整地板とを備え、耕耘ロータが回転しながら走行機体の走行とともに進行して耕耘作業をするとともに、第１整地板及び第２整地板によって圃場表面を整地する耕耘作業機において、第２整地板の後端部に前後方向に延びる切り欠き部を設け、切り欠き部は、第１側辺部と、これよりも第２整地板の中央部側に位置するとともに第１側辺部よりも第２整地板の中央部側に大きく傾く第２側辺部を有して、前後方向に対して左右非対称構造であることを特徴とする。
【００１１】
この発明によれば、第２整地板の後端部に設けられた切り欠き部は、第１側辺部と、これよりも第２整地板の中央部側に位置するとともに第１側辺部より第２整地板の中央部側に大きく傾く第２側辺部を有して、前後方向に対して左右非対称構造にすることにより、切り欠き部内を流れる泥水は第２整地板の中央部側に傾いて流出する。このため、切り欠き部を第２整地板の幅方向端部に設けると、この端部から後方側へ抜ける泥水を第２整地板の中央部側に流すことができる。その結果、第２整地板の幅方向端部が既に耕耘作業が行われた処理済みの圃場の端部と重ね合うようにして、代掻機によって隣接する未処理の圃場を耕耘すると、泥水は第２整地板の幅方向端部から内側斜め後方に流出し、処理直後の圃場に存在する藁等は第２整地板の幅方向内側に押し戻される。このため、処理済みの圃場の重ね合わせ部分に藁等が入り込むことがなく、きれいに整地された重ね合わせ部分の状態を維持することができ、圃場表面の全てを均平に整地することができる。
【００１２】
また本発明は、走行機体の後部に装着され、該走行機体から伝達される動力によって回転する耕耘ロータと該耕耘ロータの進行方向後側に回動可能に支持された第１整地板と該第１整地板の後端部に回動可能に支持された第２整地板とを備え、耕耘ロータが回転しながら走行機体の走行とともに進行して耕耘作業をするとともに、第１整地板及び第２整地板によって圃場表面を整地する耕耘作業機において、第２整地板の後端部に上方へ突出する中空の凸部（例えば、実施形態における凸部６０'，６０''）を設け、凸部は、前後方向に延びる第１側板部と、これよりも第２整地板の中央部側に位置して前後方向に延びる第２側板部と、第１側板部及び第２側板部の上端部間を接続する天板部とを有し、該天板部は第２側板部側が第１側板部側より高くなるように傾いていることを特徴とする。
【００１３】
この発明によれば、第２整地板の後端部に設けた凸部は、第１側板部と、これよりも第２整地板の中央部側に位置する第２側板部と、これらの側板部の上端部間を接続する天板部とを有し、該天板部は第２側板部側が第１側板部側より高くなるように傾いていることにより、凸部内に流入した泥水は、天板部に当たって第２整地板の中央部方向に向いて凸部から流出する。このため、凸部を第２整地板の幅方向端部に設けると、この端部から後方側へ抜ける泥水を第２整地板の中央部側に流すことができる。その結果、第２整地板の幅方向端部が既に耕耘作業が行われた処理済みの圃場の端部と重ね合うようにして、代掻機によって隣接する未処理の圃場を耕耘すると、泥水は第２整地板の幅方向端部から内側斜め後方に流出し、処理直後の圃場に存在する藁等は第２整地板の幅方向内側に押し戻される。このため、処理済みの圃場の重ね合わせ部分に藁等が入り込むことがなく、きれいに整地された重ね合わせ部分の状態を維持することができ、圃場表面の全てを均平に整地することができる。
【００１４】
さらに本発明の天板部に、凸部内に流入した圃場の泥水の一部を排出する排出口を設けることを特徴とする。
【００１５】
この発明によれば、天板部に排出口を設けることにより、凸部内に流入した藁等や泥水の一部は排出口を通って排出される。このため、凸部内に入ることができずに溢れ出した藁等や泥水が第２整地板の幅方向端部の側方に流れ出ることがなく、藁等や泥水を耕耘作業機の進行方向後側に確実に流すことができ、耕耘作業の重ね合わせ部分を確実に且つきれいに整地することができる。
【発明の効果】
【００１６】
本発明に係わる耕耘作業機によれば、第２整地板の後端部に平面視において第２整地板の中央部側に傾いて前後方向に延びる切り欠き部を設けることにより、圃場表面の全てを均平に整地することができる耕耘作業機を提供することができる。
【発明を実施するための最良の形態】
【００１７】
以下、本発明に係る耕耘作業機について、図１〜図４を参照して説明する。尚、本実施形態の耕耘作業機は、トラクタ装着型のサイドドライブ式の代掻機を例にして説明する。なお、説明の都合上、図１（平面図）に示す方向を前後方向及び左右方向として、以下説明する。
【００１８】
代掻機１は、図１に示すように、走行機体９０の後部に装着されて走行機体９０の走行とともに進行して代掻き作業を行うものであり、左右方向の中央部に配置された作業機本体１０と、この左右両端部に上下方向に回動可能に取り付けられた延長作業体３０と、延長作業体３０の左右方向の外側端部に上下方向に回動可能に取り付けられた補助整地板４０とを備え、作業機本体１０及び延長作業体３０，３０によって３分割構造になっている。
【００１９】
作業機本体１０の前部には、走行機体９０の後部に設けられた３点リンク連結機構に連結される連結部が設けられており、代掻機１は、この連結部によって昇降可能に連結される。また作業機本体１０の前部にはギアボックス１２が設けられ、走行機体９０のＰＴＯ軸からの動力がユニバーサルジョイント等の動力伝達手段を介してギアボックス１２に伝達されるようになっている。
【００２０】
作業機本体１０は、耕耘作業を行うロータリ等の図示省略の耕耘体を有し、この耕耘体の上方がカバー体を兼ねた機枠１３によって覆われている。この機枠１３の後端部に耕耘体の後方位置に上下方向に回動可能に取り付けられて整地作業を行う略板状の整地体１４が設けられている。
【００２１】
整地体１４は、機枠１３の後端部に前端部が枢結されて上下方向に回動可能な略板状の第１整地板１５と、第１整地板１５の後端部に前端部が枢結されて上下方向に回動可能な略板状の第２整地板１６とを有して構成されている。
【００２２】
左右両側に配設された延長作業体３０は、左右対称の構造を有し、作業機本体１０の耕耘体の作業幅を側方に延長するロータリ等の図示省略の延長耕耘体と、延長耕耘体の後方位置に上下方向に回動可能に位置して整地作業を行う延長整地体３１とを有してなる。延長耕耘体の上方はカバー体を兼ねた延長機枠３５によって覆われている。
【００２３】
延長整地体３１は、延長機枠３５の後端部に上下方向に回動可能に取り付けられて整地作業を行う略板状の部材である。この延長整地体３１は延長作業体３０の展開姿勢時に整地体１４の外端部に接合してこの整地体１４と連結され、延長整地体３１の折り畳み姿勢時には整地体１４の外端部から離反してこの整地体１４との接合が解除されるようになっている。
【００２４】
延長整地体３１は、延長機枠３５の後端部に前端部が枢結されて上下方向に回動可能な略板状の第１延長整地板３２と、第１延長整地板３２の後端部に前端部が枢結されて上下方向に回動可能な略板状の第２延長整地板３３とを有して構成されている。
【００２５】
また延長整地体３１の第２延長整地板３３の外端部には、前述した補助整地板４０が上下方向に回動可能に取り付けられている。この補助整地板４０は、第２延長整地板３３の表側の外端部に設けられた枢支軸を回動中心として回動可能であり、展開状態時には対応する第２延長整地板３３の外側に延びて第２延長整地板３３の整地作業を補助し、折り畳んだ状態（不使用状態）時には第２延長整地板３３の表面側に折り畳まれて第２延長整地板３３と重なった状態となる。
【００２６】
整地体１４の第２整地板１６、延長整地体３１の第２延長整地板３３及び補助整地板４０の各後端部には、左右方向に所定間隔を有して配置された切り欠き部が複数設けられている。切り欠き部５０は、図２（ａ）（斜視図）及び図２（ｂ）（背面図）に示すように、平面視において略三角形状であり、第２整地板１６、第２延長整地板３３及び補助整地板４０のそれぞれをプレス加工して形成された凸部６０，６０'，６０''の下部に開口した部分である。
【００２７】
凸部６０，６０'，６０''は、平面視において略三角状に形成され前後方向に延びる第１側板部６１と、これより第２整地板１６の中央部側に位置して前後方向に延びる第２側板部６２と、これら側板部６１，６２の各前端部間を接続する第３側板部６３と、これら側板部６１，６２，６３の上端部間を接続する天板部６４とを有してなる。
【００２８】
第２整地板１６及び第２延長整地板３３に設けられた凸部６０，６０'は形状が互いに相違し、第２延長整地板３３及び補助整地板４０に設けられた凸部６０'，６０''は形状が略同一である。第２整地板１６に設けられた凸部６０は、第１側板部６１と第２側板部６２の各長さが略同一であり、平面視において略二等辺三角形状に形成されている。このため、この凸部６０の下部に開口する切り欠き部５０は、略二等辺三角形状をなし、一方側の斜辺を形成する第１側辺部５１とこれより第２整地板１６の幅方向内側に位置して他方側の斜辺を形成する第２側辺部５２を有して前後方向に対して左右対称構造である。天板部６４は、第２側板部側の高さと第１側板部側のそれが略同一寸法を有して上下方向に対して左右対称構造である。天板部６４の中央部には泥水を排出する三角状の排出口６５が形成されている。
【００２９】
このように、第２整地板１６に設けられた切り欠き部５０及び凸部６０は、前後方向に延び、且つ天板部６４の左右両側が同一高さを有する構造であるので、第２整地板１６が圃場を前進すると、圃場の泥水は切り欠き部５０を通って凸部６０内を流れて凸部６０から第２整地板１６の略真後ろに流出する。
【００３０】
第２延長整地板３３に設けられた凸部６０'は、第２側板部６２の長さが第１側板部６１のそれより長く、且つ第２側板部６２の延びる方向が第１側板部６１のそれより第２整地板１６の中央部側に大きく傾き、全体として平面視において第２整地板１６の中央部側に傾いて前後方向に延びて、左右非対称構造である。このため、この凸部６０'の下部に開口する切り欠き部５０は、第２整地板１６の中央部側に傾いて前後方向に延びた左右非対称構造であり、一方側を形成する第１側辺部５１とこれより第２整地板１６の中央部側に位置する他方側の第２側辺部５２とを有して形成される。天板部６４は、第２側板部側の高さが第１側板部側のそれより大きくなって傾いて上下方向に対して左右非対称構造である。天板部６４の中央部には三角状の排出口６５が形成されている。
【００３１】
このように、第２延長整地板３３に設けられた凸部６０'及びこの下部に開口する切り欠き部５０は、平面視において第２整地板１６の中央部側に傾いて前後方向に延び、天板部６４は内側が外側より高く構成されているので、第２延長整地板３３が圃場を前進すると、圃場の泥水は切り欠き部５０を通って凸部６０'内を流れて凸部６０'から第２整地板１６の中央部側に流出する。
【００３２】
また補助整地板４０に設けられた凸部６０''及びこの下部に開口する切り欠き部５０は、前述した第２延長整地板３３に設けられた凸部６０'及びこの下部に開口する切り欠き部５０と略同様の構造であるので、その説明は省略する。この凸部６０''及びこの下部に開口する切り欠き部５０を有した補助整地板４０が圃場を前進すると、圃場の泥水は切り欠き部５０を通って凸部６０''内を流れて凸部６０''から第２整地板１６の中央部側に流出する。なお、凸部６０''及びこの下部に開口する切り欠き部５０の傾きは、前述した第２延長整地板３３に設けられた凸部６０'及び切り欠き部５０の傾きより大きくしてもよい。
【００３３】
このような凸部６０，６０'，６０''及び切り欠き部５０を有した代掻機１が前進すると、図３（平面図）に示すように、圃場の泥水は、第２整地板１６の後方では代掻機１の進行方向Ａに対して真っ直ぐ後方に流れ、第２延長整地板３３及び補助整地板４０の後方では第２整地板１６の中央部側へ傾いた斜め後方に流れる。このため、補助整地板４０若しくは補助整地板４０及び第２延長整地板３３が既に代掻きが行われた処理済みの圃場Ｆの端部に重ね合うように、代掻機１によって隣接する未処理の圃場Ｆ'を代掻きすると、補助整地板４０や第２延長整地板３３から後方に流出する圃場の泥水は、第２整地板１６の中央部側へ傾いて流出するので、未処理の圃場Ｆ'に存在する藁等Ｗがこの内側斜め後方に流れる泥水によって処理直後の圃場Ｆ'の内側に押し戻されて重ね合わせ部分Ｆｐに入り込むことはない。このため、きれいに整地された重ね合わせ部分Ｆｐの状態が維持され、その結果、圃場表面の全てを均平に整地することができる。
【００３４】
なお、前述した実施例の代掻機１では、第２整地板１６の端部に第２延長整地板３３を取り付け、さらに第２延長整地板３３の端部に補助整地板４０を取り付けた構造のものを示したが、図４（平面図）に示すように、第２整地板１６の端部に補助整地板４０を回動自在に取り付けた構造の代掻機１'でもよい。なお、代掻機１'は、前述した代掻機１と略同様の構造であるので、代掻機１と同一態様部分については同一符号を附してその説明を省略する。この代掻機１'の第２整地板１６に設けられた切り欠き部及び凸部６０のうち第２整地板１６の中間部分に設けたものは前後方向に延び、第２整地板１６の左右両端部に設けられたものは第２整地板１６の中央部側に傾いている。
【００３５】
このように構成された代掻機１'は、第２整地板１６や補助整地板４０に設けられた切り欠き部及び凸部６０，６０''が第２整地板１６の中央部側に傾いているので、前述した代掻機１の場合と同様の効果、即ち圃場の重ね合わせ部分をきれいに整地して、圃場表面の全てを均平に整地することができる。
【００３６】
また図１に示す代掻機１では、第２整地板１６に設けられた切り欠き部及び凸部６０は全て前後方向に真っ直ぐに延びる場合を示したが、第２整地板１６の左右両端部に位置する切り欠き部及び凸部６０を第２整地板１６の中央部側に傾くように形成してもよい。また図１及び図４に示す代掻機１，１'において、第２整地板１６の左右方向の真ん中に位置する切り欠き部及び凸部６０以外の切り欠き部及び凸部を第２整地板１６の中央部側に傾くように形成してもよい。また、藁等の圃場内へのすき込み性を向上するために、第２整地板１６、第２延長整地板３３、補助整地板４０の少なくともいずれかの底面に前後方向に延びる図示省略の複数のレーキを設けてもよい。さらに第２整地板１６の底面にレーキを設けた場合、このレーキを前後方向に延びるとともに、第２整地板１６の中央部側に傾斜して設けて、後方に流出する藁や泥水の流れを制御してもよい。
【図面の簡単な説明】
【００３７】
【図１】本発明の一実施の形態に係わる代掻機の平面図を示す。
【図２】この代掻機の整地板に設けられた切り欠き部及び凸部を示し、同図（ａ）は切り欠き部及び凸部の斜視図であり、同図（ｂ）は切り欠き部及び凸部の背面図である。
【図３】泥水の流れを説明するための代掻機後部の平面図を示す。
【図４】本発明の他の実施の形態に係わる代掻機の平面図を示す。
【図５】従来の代掻機の背面図を示す。
【符号の説明】
【００３８】
１，１'  代掻機（耕耘作業機）
１５  第１整地板
１６  第２整地板
３２  第１延長整地板（第１整地板）
３３  第２延長整地板（第２整地板）
４０  補助整地板（第２整地板）
５０  切り欠き部
５１  第１側辺部
５２  第２側辺部
６０，６０'，６０''  凸部
６１  第１側板部
６２  第２側板部
６４  天板部
６５  排出口
９０  走行機体
【図１】
2007222130.tif 000003
【図２】
2007222130.tif 000004
【図３】
2007222130.tif 000005
【図４】
2007222130.tif 000006
【図５】
2007222130.tif 000007